(57)【要約】【課題】  着脱自在のスタンドを具備する薄型表示装置内部の躯体構造の主要部を、従来のアルミダイキャスト部材から廉価な鋼板部材に置換し、同等の高い剛性と強度を具備する経済的な躯体構造の実現手段を提供する。【解決手段】  薄型表示装置の光学システムを構成するバックライトシャーシ９背面に跨設され、鋼板部材により構成された左側補強金具１０および右側補強金具１１、中継金具１２、および固定金具１３により構成すると共に、該左側補強金具１０および該右側補強金具１１に形成した中継金具掛止爪１０ａおよび１１ａを該中継金具１２のタブ１２ａに穿設した補強金具係止孔に嵌合する。さらに、該左側補強金具１０および該右側補強金具１１の最下端部近傍に形成したスタンド固定金具係止爪をスタンド固定金具１３の端辺に掛着する。【選択図】  図３
2008275824.tif 000002
【特許請求の範囲】
【請求項１】
着脱自在のスタンドを具備する薄型表示装置内部の躯体構造であって、光学システムを構成するバックライトシャーシ背面に跨設された複数の補強金具と、スタンドの支柱上部が嵌合するスタンド固定金具と、該補強金具および該スタンド固定金具を中継する中継金具により構成されたことを特徴とする薄型表示装置。
【請求項２】
請求項１記載の補強金具および中継金具の係合において、該補強金具に中継金具係止爪を形成すると共に、該補強金具の該中継金具係止爪を、該中継金具に穿設された補強金具係止孔に嵌合係止したことを特徴とする薄型表示装置。
【請求項３】
請求項１または２に記載のスタンド固定金具が係合する補強金具の下端部近傍にスタンド固定金具係止爪を形成すると共に、該スタンド固定金具係止爪を該スタンド固定金具の端辺に掛着させたことを特徴とする薄型表示装置。
【請求項４】
着脱自在のスタンドを具備する薄型表示装置内部の躯体構造組立方法であって、光学システムを構成するバックライトシャーシ背面に跨設された複数の補強金具と、スタンドの支柱上部が嵌合するスタンド固定金具と、該補強金具および該スタンド固定金具を中継する中継金具を有し、該中継金具と概スタンド固定金具をバックライトシャーシに固定したのちに、前記補強金具の係止爪で該中継金具と概スタンド固定金具に嵌合、及び掛着して前記補強金具を前記バックライトシャーシに固定することを特徴とする薄型表示装置の躯体構造組立方法。
【発明の詳細な説明】
【技術分野】
【０００１】
本発明は、液晶表示パネルやＰＤＰなどを画面表示素子とする薄型表示装置の躯体構造に関する。
【背景技術】
【０００２】
近時、液晶表示パネルやＰＤＰを画面表示素子とする薄型表示装置は、軽量、薄型であり、大型表示画面の実現が可能なことから、従来のブラウン管を画面表示素子とするテレビやデータディスプレイなどの表示装置に急速に置換されつつある。該薄型表示装置は、ブラウン管型表示装置の設置手段である卓上設置、床置き設置、および天井からの吊り下げ設置に限定されず、表示画面の大型化にもかかわらず、薄型で、且つ、軽量である特長から、設置空間の省スペース化が可能な壁掛け設置をも可能としている。
【０００３】
液晶表示パネルを画面表示素子とする薄型表示装置の該液晶表示パネルは、複数のガラス板が対向する面内の微小間隙に所望の光電変換特性を有する液晶材料が封入され、該微小間隙は表示画面全域にわたり数ミクロン程度で安定に保持する必要があることから、該液晶表示パネルに外部から強い機械的応力を加えることは出来ない。従って、該液晶表示パネルによる画面表示品位に加え、高い信頼性を維持するため、該薄型表示装置の筐体は薄型であるにもかかわらず、該薄型表示装置内部の躯体の強度は堅牢で、且つ高い剛性を有することが求められる。
【０００４】
薄型表示装置内部の躯体として軽量、且つ、十分な強度と剛性を実現する従来の技術手段としては、特許文献１に見られるごとく、液晶表示パネル背面側に配設されたバックライトシャーシ背面に大型のアルミダイキャスト製の複数のブリッジ状補強金具を縦方向に跨設していた。
【特許文献１】特願２００５−３５２３３２号
【発明の開示】
【発明が解決しようとする課題】
【０００５】
薄型表示装置の躯体として軽量、且つ、十分な強度と剛性を実現するため、前述の従来技術による躯体構造の主要部分を構成するアルミダイキャスト製の補強金具は相当の厚さ寸法を必要とし、アルミ原材料費、鋳造金型費および鋳造後のタップ加工や端部仕上げ加工費などの諸点でコストプッシュ要因が大きかった。
【課題を解決するための手段】
【０００６】
着脱自在のスタンドを具備する薄型表示装置内部の躯体構造を、該薄型表示装置の光学システムを構成するバックライトシャーシ背面の上下方向に跨設され、鋼板部材の板金加工により形成された複数の補強金具と、スタンド支柱の上部が嵌合するスタンド固定金具と、該補強金具と該スタンド固定金具を中継する中継金具により構成する。
【０００７】
前記中継金具が係合する補強金具に中継金具係止爪を形成すると共に、該中継金具の背面に直角に折り上げたタブに補強金具係止孔を穿設し、該補強金具の該中継金具係止爪を該中継金具の該補強金具係止孔に嵌合係止する。
【０００８】
前記補強金具の下端部近傍およびスタンド固定金具が係合する該補強金具にスタンド固定金具係止爪を形成すると共に、該スタンド固定金具係止爪を該スタンド固定金具の端辺に掛着する。
【０００９】
着脱自在のスタンドを具備する薄型表示装置内部の躯体構造組立方法であって、光学システムを構成するバックライトシャーシ背面に跨設された複数の補強金具と、スタンドの支柱上部が嵌合するスタンド固定金具と、該補強金具および該スタンド固定金具を中継する中継金具を有し、該中継金具と概スタンド固定金具をバックライトシャーシに固定したのちに、前記補強金具の係止爪で該中継金具と概スタンド固定金具に嵌合、及び掛着して前記補強金具を前記バックライトシャーシに固定することを特徴とする。
【発明の効果】
【００１０】
本発明によれば、着脱自在のスタンドを具備する薄型表示装置内部の躯体構造として、高価なアルミ部材によるダイキャスト製補強金具を使用することなく、該薄型表示装置の光学システムを構成するバックライトシャーシ背面に跨設された複数の補強金具と、スタンド支柱の上部が嵌合するスタンド固定金具と、該補強金具と該スタンド固定金具を中継する中継金具を、鋼板部材の板金加工により形成することにより、従来技術によるアルミ部材のダイキャスト加工による補強金具と同等に高い剛性を有する薄型表示装置内部の躯体構造を、より経済的に実現することが可能である。
【００１１】
前記中継金具が係合する補強金具に中継金具係止爪を形成すると共に、該中継金具の背面に直角に折り上げたタブに補強金具係止孔を穿設し、該補強金具の該中継金具係止爪を該中継金具の補強金具係止孔に嵌合係止させることにより、組み立て強度を確保しながら螺着箇所を削減することが可能である。
【００１２】
前記スタンド固定金具が係合する該補強金具の下端部近傍にスタンド固定金具係止爪を形成すると共に、該スタンド固定金具係止爪を該スタンド固定金具の端辺に掛着させることにより、組み立て強度を確保しながら螺着箇所を削減することが可能である。
【００１３】
前記補強金具の係止爪で該中継金具と概スタンド固定金具に嵌合、及び掛着したのちに前記補強金具を前記バックライトシャーシに固定することで、該バックライトシャーシ背面に固定された信号処理回路基板や、電源基板や、インバータ基板等の修理を容易に行うことが可能になる。
【発明を実施するための最良の形態】
【００１４】
以下、図に基づき本発明の実施形態を液晶テレビに適用した場合に関し説明する。図１は液晶テレビの前面図である。図１において、１は前キャビネット、２は画像表示のための液晶表示パネル、３は該液晶テレビを卓上型として使用する場合のスタンド、４は該スタンド３と該液晶テレビ本体を係合するためのスタンド支柱である。
【００１５】
次に、図２の分解斜視図に基づき液晶テレビ内部の光学システムユニットの構成概要を説明する。液晶表示パネル２の背面側には、液晶表示画面の高輝度化や画面輝度均一化などの画像品位改善のため、光反射、偏光、屈折、光拡散などの高度な光制御技術を利用し、表面に多数のマイクロレンズアレイを形成するなどの手段を施した複数枚のフィルム状光学シートにより構成される光学シートセット６、および光拡散板５が配設されている。さらに該光拡散板５の後方には該光学シートセット６および該液晶表示パネル２の背面に光照射をするためのバックライトユニット７が配設され、該バックライトユニット７はバックライトシャーシ９内に多数の発光管８が配設され構成されている。
【００１６】
図３（ａ）は、本発明の実施形態に係わる液晶テレビから後ろキャビネットを除去し、内部の躯体構造を示す背面斜視図、図３（ｂ）は、図中に破線矢印で示すごとくスタンド３およびスタンド支柱４を該液晶テレビ本体下部のスタンド固定金具１３から抜去した状態を示す背面斜視図である。
【００１７】
図３（ａ）に示すバックライトシャーシ９は、薄型表示装置を構成する多くの構造物の中では、剛性の高い金属部材により構成された最も大型の単一構造物である。しかしながら、薄型で、且つ、軽量である薄型表示装置としての特長を最大限に発揮させるために、該バックライトシャーシ９は薄型形状に形成され、スタンド３と共に一体化されたスタンド支柱４が係止された該バックライトシャーシ９の下辺中央部分の係止部分には大きな機械的応力が加わるが、本発明によれば、該係止部分を含む躯体構造に高価なアルミダイキャスト部材を用いることなく、板金加工された鋼板部材により十分な強度を具備させることが可能である。
【００１８】
本発明では、図３（ａ）の実施形態を示す液晶テレビ内部の背面斜視図のごとく、着脱自在のスタンド３を具備する薄型表示装置内部の躯体構造を、該薄型表示装置の光学システムを構成するバックライトシャーシ９の背面に跨設された鋼板部材により形成された左側補強金具１０および右側補強金具１１と、スタンド支柱４の上部が嵌合するスタンド固定金具１３と、該左側補強金具１０および右側補強金具１１と該スタンド固定金具１３を中継する中継金具１２により構成する。バックライトシャーシ９にはシールドケース９ａを有する信号処理回路基板や、電源基板９ｂや、インバータ基板９ｃ等がビス止等により固定されており、左側補強金具１０および右側補強金具１１は、シールドケース９ａや電源基板９ｂの上を通過する構造としてバックライトシャーシ９に跨設されている。
【００１９】
図４は、図３（ａ）中に鎖線Ａ−Ａで示す切断線に沿って切断した縦断面図であり、躯体構造の一部を構成する前述の右側補強金具１１、中継金具１２、スタンド固定金具１３、およびスタンド支柱４の組み立て構造を示している。
【００２０】
図３（ａ）に示すごとく、薄型表示装置を構成する多くの構造物の中では、剛性の高い金属部材により構成された最も大型の単一構造物であるバックライトシャーシ９の上下辺の左右両端近傍には第１のバックライトシャーシ取り付けブラケット１４が係止され、該第１のバックライトシャーシ取り付けブラケット１４は前キャビネット１に螺着されている。さらに、該バックライトシャーシ９の上辺中央部には第２のバックライトシャーシ取り付けブラケット１５が係止され、該第２のバックライトシャーシ取り付けブラケット１５は前キャビネット１に螺着され、バックライトシャーシ９は、該第１のバックライトシャーシ取り付けブラケット１４および該第２のバックライトシャーシ取り付けブラケット１５を介し、前キャビネット１と一体に係止される。
【００２１】
しかしながら、前キャビネット１は熱可塑性樹脂部材の成型加工により形成され、成型時に発生するヒケなどの外観上の問題発生を回避する必要から、前キャビネット１は全体として薄肉に成型され、且つ、薄型表示装置の特長である「薄型」を最大限に発揮させるため、該前キャビネット１は全体として薄型形状を実現すべく意匠面での配慮がなされ設計されている。さらには、剛性の高い金属部材により構成されているバックライトシャーシ９と雖も、前記前キャビネット１と同様に薄型形状であるため、該前キャビネット１および該バックライトシャーシ９間にガラス薄板部材により構成された液晶表示パネル（図示せず）を挟持するには、該バックライトシャーシ９および該前キャビネット１の剛性は、十分ではない。
【００２２】
前記液晶テレビの主要部を構成する前キャビネット１、液晶表示パネルおよびバックライトシャーシ９の撓み変形を防止し、剛性を向上させるため、図３（ａ）に鎖線で示す切断線Ａ−Ａの左側に左側補強金具１０を、同様に切断線Ａ−Ａの右側に右側補強金具１１を、該切断線Ａ−Ａを対称軸とする線対称位置に配設している。さらに、左側補強金具１０および右側補強金具１１の各上端部を、第２のバックライト取り付けブラケット１５に螺着し、左側補強金具１０および右側補強金具１１の下部は、螺子１６により中継金具１２に螺着することにより、該中継金具１２を介し、左側補強金具１０および右側補強金具１１をバックライトシャーシ９背面下部に係止している。
【００２３】
前記左側補強金具１０および右側補強金具１１の下部をバックライトシャーシ９の背面に直接に螺着することなく中継金具１２を介し、バックライトシャーシ９の背面下部に係止することにより、薄肉の鋼板部材により構成されるバックライトシャーシ９の係止点への集中応力を分散することが可能となり、鋼板部材で構成される該バックライトシャーシ９の部分的な変形の発生を回避することができる。
【００２４】
図３（ａ）中に鎖線で示す切断線Ａ−Ａを対象軸とし、左右対称に配設された左側補強金具１０および右側補強金具１１の内の左側補強金具１０の実施例を示す図５のごとく、該切断線Ａ−Ａに対向する左側補強金具１０の端辺の下部には、中継金具係止爪１０ａが形成されている。ここで図５において１０ｃはビス締め孔で、１０ｄは壁掛け金具取付用のカシメボスで、１０ｅは後キャビネットとのビス固定用のカシメボスである。一方、該左側補強金具１０の下部が係止される中継金具１２は、該中継金具１２の実施例である図６の斜視図に示すごとく、タブ１２ａが該中継金具１２から折り上げ形成されており、該タブ１２ａの略中央部分には補強金具係止孔１２ｂが穿設されている。ここで図６において、１２ｂは補強金具係止孔であり、１２ｃ〜１２ｇはビス締め孔である。
【００２５】
前述のごとく、左側補強金具１０の下部は、図３中に示す螺子１６により中継金具１２に螺着されると共に、図５に示す左側補強金具１０に形成された中継金具係止爪１０ａを、図６に示す中継金具１２の略中央部に穿設された補強金具係止孔１２ｂに嵌合することにより、中継金具１２に堅固に係止される。
【００２６】
さらに、図５に示すごとく、左側補強金具１０の最下部にはスタンド固定金具係止爪１０ｂが、図３（ａ）中に鎖線で示す切断線Ａ−Ａ方向に突出して形成されている。該スタンド固定金具係止爪１０ｂは、図７に示すスタンド固定金具１３の補強金具係合部１３ａに掛着し、該左側補強金具１０の最下部およびスタンド固定金具１３が堅固に係止される。ここで図７において１３ｂはスタンド支柱固定孔で、１３ｃはドライバ通過孔で、１３ｄと１３ｆはビス締め孔で、１３ｅはスタンド支柱固定用のカシメボスである。
【００２７】
以上、左側補強金具１０、中継金具１２およびスタンド固定金具１３の係止手段につき詳述しているが、図３中に鎖線Ａ−Ａで示す切断線を線対称軸とし、左右対称となるように配設された右側補強金具１１についても左側補強金具１０と全く同様手段により、該中継金具１２およびスタンド固定金具１３に係止される。
【００２８】
次に図３乃至図７とともに、液晶テレビの組立て手順を説明する。前キャビネット１の上に、シールドケース９ａや電源基板９ｂやインバータ基板９ｃ等がビス止固定されたバックライトシャーシ９を所定位置に位置合わせした後、バックライトシャーシ９の上下辺の左右両端近傍を第１のバックライトシャーシ取り付けブラケット１４にて前キャビネット１に螺着する。さらに、該バックライトシャーシ９の上辺中央部は第２のバックライトシャーシ取り付けブラケット１５により前キャビネット１に螺着され、バックライトシャーシ９は、該第１のバックライトシャーシ取り付けブラケット１４および該第２のバックライトシャーシ取り付けブラケット１５を介し、前キャビネット１と一体に係止される。
【００２９】
次に中継金具１２のビス締め孔１２ｃと１２ｄにより中継金具１２の一方をバックライトシャーシ９に固定し、ビス締め孔１２ｅにより中継金具１２の他方を前キャビネット１に設けられたボスに固定する。次に中継金具１２のビス締め孔１２ｆにスタンド固定金具１３のビス締め孔１３ｄを位置合わせした後、ビスにて前キャビネット１に設けられたボスに中継金具１２とスタンド固定金具１３を共締め固定する。ビス締め孔１３ｆはスタンド固定金具１３が単独で前キャビネット１に設けられたボスに固定される箇所である。
【００３０】
次に左側補強金具１０の中継金具係止爪１０ａを補強金具係止孔１２ｂに斜め方向から挿入したのちにスタンド固定金具係止爪１０ｂの内側に補強金具係合部１３ａが掛着するように左側補強金具１０の挿入角度を戻しながら一方を第２のバックライトシャーシ取り付けブラケット１５上に、他方を中継金具１２上の所定位置にのせる。次に左側補強金具１０の図示しないビス締め孔にて左側補強金具１０の一方を第２のバックライトシャーシ取り付けブラケット１５とビス締め固定し、他方はビス締め孔１０ｃと中継金具１２のビス締め孔１２ｇでビス締め固定される。右側補強金具１１も左側補強金具１０の取付け順と同様の手順にて固定される。
【００３１】
以上の躯体構造の組み付けののち、図示しない後ろキャビネットを躯体構造の背面から覆い、後ろキャビネットと前キャビネット１をビス固定することで、液晶テレビが組み上げられることになる。尚、後ろキャビネットのスタンド固定金具１３のスタンド支柱固定孔１３ｂに対向する位置にはビス締め孔が設けられており、スタンド支柱４がスタンド固定金具１３の挿入された後に、後ろキャビネットのビス締め孔から固定ビスが挿入され、スタンド固定金具１３とスタンド支柱４と後ろキャビネットが共締め固定されることになる。
【００３２】
以上説明のような躯体構造と組立て方法により、バックライトシャーシ９に固定されているシールドケース９ａを有する信号処理回路基板や、電源基板９ｂや、インバータ基板９ｃ等の修理の際には、後ろキャビネットを外してスタンド支柱４で液晶テレビ本体を仮支持した状態にて左側補強金具１０と右側補強金具１１を外すことで基板修理や基板交換等を容易に行うことができる。
【図面の簡単な説明】
【００３３】
【図１】本発明の実施形態に係わる液晶テレビの前面図である。
【図２】本発明の実施形態に係わる液晶テレビ内部の光学システムユニットの構成概要を示す分解斜視図である。
【図３】図３（ａ）は、本発明の実施形態に係わる液晶テレビ内部の躯体構造を示す背面斜視図、図３（ｂ）は、スタンドを該液晶テレビ本体から抜去した状態を示す背面斜視図である。
【図４】図３（ａ）中に示す切断線Ａ−Ａに沿って切断した縦断面図である。
【図５】本発明の実施形態を示す左側補強金具の斜視図である。
【図６】本発明の実施形態を示す中継金具の拡大斜視図である。
【図７】本発明の実施形態を示すスタンド固定金具の拡大斜視図である。
【符号の説明】
【００３４】
１：  前キャビネット
２：  液晶表示パネル
３：  スタンド
４：  スタンド支柱
５：  光拡散板
６：  光学シートセット
７：  バックライトユニット
８：  発光管
９：  バックライトシャーシ
１０：  左側補強金具
１０ａ：  中継金具係止爪
１０ｂ：  スタンド固定金具係止爪
１１：  右側補強金具
１１ａ：  中継金具係止爪
１２：  中継金具
１２ａ：  タブ
１２ｂ：  補強金具係止孔
１３：  スタンド固定金具
１３ａ：  補強金具係合部
１４：  第１のバックライトシャーシ取り付けブラケット
１５：  第２のバックライトシャーシ取り付けブラケット
１６：  螺子
【図１】
2008275824.tif 000003
【図２】
2008275824.tif 000004
【図３】
2008275824.tif 000005
【図４】
2008275824.tif 000006
【図５】
2008275824.tif 000007
【図６】
2008275824.tif 000008
【図７】
2008275824.tif 000009